(57)【要約】      （修正有）【課題】管理装置を介さずに情報処理装置の情報を取得する。【解決手段】情報処理装置１において、出力制御部１１１が、入力部１３に入力される入力パターンに応じて、情報処理装置の識別情報又は情報処理装置の障害情報を管理情報として選択し、選択した管理情報を点滅パターンからなる発光信号に変換し、出力部１２は発光信号に基づき点滅する。管理端末２の受光部２１は、情報処理装置の出力部から点滅パターンを受光し、表示部２４は、受光した管理情報に対応する情報処理装置に関する関連情報を制御部２２から取得して、表示する。【選択図】図４
2017033486.tif 000002
【特許請求の範囲】
【請求項１】
自装置に関する管理情報を点滅パターンからなる発光信号に変換する出力制御部と、
前記発光信号に基づき点滅する出力部と、
を備えることを特徴とする情報処理装置。
【請求項２】
前記情報処理装置は、ユーザの入力を受け付ける入力部をさらに備え、
前記入力部が入力を検出した場合、出力部は前記発光信号に基づき点滅すること
を特徴とする請求項１に記載の情報処理装置。
【請求項３】
前記出力制御部は、前記入力部に入力される入力パターンに応じて前記自装置の識別情報又は前記自装置の障害情報を前記管理情報として選択し、当該管理情報を点滅パターンからなる発光信号に変換すること
を特徴とする請求項２に記載の情報処理装置。
【請求項４】
前記入力パターンとは、所定時間における入力回数であり、
前記出力制御部は前記入力回数を検出し、
前記入力回数が１回のとき、前記出力部を消灯もしくは点灯し、
前記入力回数が２回のとき、前記自装置の識別情報を管理情報として選択し、
前記入力回数が３回のとき、前記自装置の障害情報を管理情報として選択すること
を特徴とする請求項３に記載の情報処理装置。
【請求項５】
前記出力制御部は、前記自装置の状態を監視しており、
前記情報処理装置は、前記出力制御部が前記自装置に障害が発生したことを検出した場合、障害が発生した旨を通知する通知部を備えること
を特徴とする請求項１から４のいずれか一項に記載の情報処理装置。
【請求項６】
受光した点滅パターンを発光信号に変換する受光部と、
前記受光部が受光した前記発光信号が管理情報であるか否かを判別し、前記発光信号が管理情報である場合、格納部から前記管理情報に対応する情報処理装置に関する関連情報を取得する制御部と、
を備えることを特徴とする管理端末。
【請求項７】
前記制御部は、前記管理情報が情報処理装置の識別情報であるか否か判別し、前記情報処理装置の識別情報でないと判別した場合、前記管理情報は前記情報処理装置の障害情報であると判別すること
を特徴とする請求項６に記載の管理端末。
【請求項８】
前記管理端末は、前記情報処理装置に関する関連情報として、情報処理装置の設定情報及び障害関連情報を格納する格納部をさらに備えること
を特徴とする請求項７に記載の管理端末。
【請求項９】
前記制御部が、情報処理装置の識別情報であると判別した場合、前記格納部から当該情報処理装置の設定情報を取得し、
前記制御部が、情報処理装置の識別情報でないと判別した場合、前記格納部から当該情報処理装置の障害関連情報を取得すること
を特徴とする請求項８に記載の管理端末。
【請求項１０】
自装置に関する管理情報を点滅パターンからなる発光信号に変換する出力制御ステップと、
前記発光信号に基づいて点滅する出力ステップと、
を備えることを特徴とする情報管理方法装置。
【請求項１１】
自装置に関する管理情報を点滅パターンからなる発光信号に変換する出力制御ステップと、
前記発光信号に基づき点滅する出力ステップと、
をコンピュータに実行させるプログラム。
【請求項１２】
自装置に関する管理情報を点滅パターンからなる発光信号に変換する出力制御部と、
前記発光信号に基づき点滅する出力部と、
を有する情報処理装置と、
前記出力部の点滅パターンを受光し、前記発光信号に変換する受光部と、
前記発光信号が管理情報か否かを判別し、前記発光信号が前記管理情報である場合、格納部から前記管理情報に対応する前記情報処理装置に関する関連情報を取得する制御部と、
を有する管理端末と、
を備えることを特徴とする情報管理システム。
【発明の詳細な説明】
【技術分野】
【０００１】
本発明は、情報処理装置、管理端末、情報管理システム、情報管理方法、およびプログラムに関する。
【背景技術】
【０００２】
サーバ装置の保守を行う場合、保守員はサーバ装置を管理する管理装置を介して障害発生情報や設定情報を取得している。例えば、特許文献１には、サーバ装置に故障が発生した場合、管理装置がサーバ装置から受信した情報を基に作成した保守作業情報を電子メールで送信する技術が開示されている。
【先行技術文献】
【特許文献】
【０００３】
【特許文献１】特開２０１１−２２１９１１号公報
【発明の概要】
【発明が解決しようとする課題】
【０００４】
しかしながら、特許文献１においては、必ず管理装置を介してサーバ装置の情報を収集しているため、ネットワークに接続できない場合、情報を入手できないといった問題がある。
【０００５】
本発明の目的は、上述した課題を解決する情報処理装置、管理端末、情報管理システム、情報管理方法、およびプログラムを提供することにある。
【課題を解決するための手段】
【０００６】
本発明の情報処理装置は、自装置に関する管理情報を点滅パターンからなる発光信号に変換する出力制御部と、前記発光信号に基づき点滅する出力部と、を備える。
【０００７】
本発明の管理端末は、受光した点滅パターンを発光信号に変換する受光部と、前記受光部が受光した発光信号が管理情報であるか否かを判別し、前記発光信号が管理情報である場合、格納部から前記管理情報に対応する情報処理装置に関する関連情報を取得する制御部と、を備える。
【０００８】
本発明の情報管理システムは、自装置に関する管理情報を点滅パターンからなる発光信号に変換する出力制御部と、前記発光信号に基づき点滅する出力部と、を有する情報処理装置と、
前記出力部の点滅パターンを発光信号に変換する受光部と、前記受光部が受光した発光信号が管理情報か否かを判別し、前記受光部が受信した発光信号が前記管理情報である場合、格納部から前記管理情報に対応する前記情報処理装置に関する関連情報を取得する制御部と、を有する管理端末と、
を備える。
【０００９】
本発明の情報管理方法は、自装置に関する管理情報を点滅パターンからなる発光信号に変換する出力制御ステップと、前記発光信号に基づいて点滅する出力ステップと、を備える。
【００１０】
本発明のプログラムは、自装置に関する管理情報を点滅パターンからなる発光信号に変換する出力制御ステップと、前記発光信号に基づき点滅する出力ステップと、をコンピュータに実行させる。
【発明の効果】
【００１１】
本発明の効果は、必ずしも管理装置を介さずに情報処理装置の情報を取得可能なことにある。
【図面の簡単な説明】
【００１２】
【図１】本発明の第１の実施の形態における、機能構成を示すブロック図である。
【図２】本発明の第１の実施の形態における、情報処理装置１のハードウェア構成の一例を示すブロック図である。
【図３】本発明の第１の実施の形態における、動作を示すフローチャートである。
【図４】本発明の第２の実施の形態における、機能構成を示すブロック図である。
【図５】本発明の第２の実施の形態における、識別情報１６１の一例を示す図である。
【図６】本発明の第２の実施の形態における、障害情報１６２の一例を示す図である。
【図７】本発明の第２の実施の形態における、設定情報２６１の一例を示す図である。
【図８】本発明の第２の実施の形態における、障害関連情報２６２の一例を示す図である。
【図９】本発明の第２の実施の形態における、情報処理装置１及び端末装置２のハードウェア構成の一例を示す図である。
【図１０】本発明の第２の実施の形態における、障害発生時の動作を示すフローチャートである。
【図１１】本発明の第２の実施の形態における、管理情報送信時の動作を示すフローチャートである。
【図１２】本発明の第２の実施の形態における、管理情報受光時の動作を示すフローチャートである。
【発明を実施するための形態】
【００１３】
（第１の実施の形態）
本発明の第１の実施の形態について説明する。はじめに、本発明の第１の実施の形態の構成について説明する。
【００１４】
図１は、本発明の第１の実施の形態における、機能構成を示すブロック図である。
【００１５】
図１を参照すると、情報処理装置１は、出力制御部１１１と出力部１２を備える。
【００１６】
出力制御部１１１は、情報処理装置１に関する管理情報を点滅パターンからなる発光信号に変換する。管理情報とは、例えば情報処理装置１の識別情報や、障害情報、設定情報など、情報処理装置１に関連する情報である。発光信号とは、可視光通信用に変調した信号である。
【００１７】
出力部１２は、出力制御部１１１から発光信号を取得し、発光信号に基づき、点滅する。出力部１２は、例えば情報処理装置１に備えられたＬＥＤ（ｌｉｇｈｔ ｅｍｉｔｔｉｎｇ ｄｉｏｄｅ）である。
【００１８】
図２は、本発明の第１の実施の形態における、情報処理装置１のハードウェア構成の一例を示すブロック図である。
【００１９】
情報処理装置１は、ＣＰＵ（Ｃｅｎｔｒａｌ Ｐｒｏｃｅｓｓｉｎｇ Ｕｎｉｔ）６１、通信インターフェース６２、入出力インターフェース６３、メモリ６４、補助記憶装置６５、ＢＭＣ（Ｂａｓｅ Ｍａｎａｇｅｍｅｎｔ Ｃｏｎｔｒｏｌｌｅｒ）６６含み、各構成要素は、互いにバス６７によって接続される。
【００２０】
ＣＰＵ６１は、情報処理装置１を制御するプログラムのコードを実行する中央演算処理装置である。ＣＰＵ６１は、補助記憶装置６５に格納されたプログラムに基づいて所定の処理を実行して、情報処理装置１の動作を制御することで、各機能を実現する。
【００２１】
通信インターフェース６２は、各種周辺機器とのインターフェースとして機能する。通信インターフェースは、外部の装置等との間でデータを送受信するために用いられる。なお、通信インターフェース６２を介して情報処理装置１と外部の装置とを接続する方法は様々である。例えばこの接続は、バス回線（例えばＵＳＢ（Ｕｎｉｖｅｒｓａｌ Ｓｅｒｉａｌ Ｂｕｓ）回線）を介したバス接続や、ネットワーク回線を介したネットワーク接続などである。なお、ネットワーク回線は無線回線であってもよいし有線回線であってもよい。
【００２２】
入出力インターフェース６３は入力部や出力部１２などと接続される。出力部１２は、情報を出力する装置であり、例えば点灯及び消灯可能なＬＥＤである。入力部は、オペレータの操作による入力を受け付ける装置である。入力部は、例えば、キーボード、マウス、タッチセンサ、スイッチ等で実現される。
【００２３】
メモリ６４は、例えばＲＡＭ（Ｒａｎｄｏｍ  Ａｃｃｅｓｓ  Ｍｅｍｏｒｙ）やＲＯＭ（Ｒｅａｄ Ｏｎｌｙ Ｍｅｍｏｒｙ）などのメモリであり、補助記憶装置６５に格納されているプログラムが展開される主記憶装置である。
【００２４】
補助記憶装置６５は、情報処理装置１の動作を制御するプログラムを格納する。補助記憶装置６５は、例えばハードディスク、ＳＳＤ（Ｓｏｌｉｄ Ｓｔａｔｅ Ｄｒｉｖｅ）、又はメモリカードなどの記憶装置である。
【００２５】
ＢＭＣ６６は、図示しない演算処理を行うＣＰＵと、ＣＰＵの演算に伴うデータを格納するメモリと、外部と通信を行うためのネットワークインターフェースと、ＣＰＵの演算前後のデータや、ＢＭＣ６６を制御するプログラムを格納する補助記憶装置を備える。
【００２６】
なお、本実施形態では、ＣＰＵ６１は、補助記憶装置６５に格納されたプログラムを読み出して実行するものとして説明したが、当該プログラムをＣＤＲＯＭ（Ｃｏｍｐａｃｔ Ｄｉｓｃ Ｒｅａｄ Ｏｎｌｙ Ｍｅｍｏｒｙ）等の記憶媒体に格納してＣＰＵ６１に提供することも可能である。なお、情報処理装置１のハードウェア構成は図２に示される構成に制限されない。
【００２７】
図３は、本発明の第１の実施の形態における、動作を示すフローチャートである。
【００２８】
出力制御部１１１は、情報処理装置１に関する管理情報を点滅パターンからなる発光信号に変換する（ステップＳ１００１）。すなわち、出力制御部１１１は、情報処理装置１に関する管理情報を可視光通信用の信号である発光信号に変調して出力部１２に送信する。管理情報とは、例えば識別情報や障害情報、設定情報がある。
【００２９】
出力部１２は、出力制御部１１１から発光信号を取得し、取得した発光信号に基づき、点滅する（ステップＳ１００２）。すなわち、出力部１２は点滅によって管理情報を外部に送信することができる。
以上により、第１の実施の形態における動作が完了する。
【００３０】
本発明の第１の実施形態は、必ずしも管理装置を介さずに情報処理装置１の情報を取得可能である。その理由は、出力制御部１１１が管理情報を点滅パターンからなる発光信号に変換し、出力部１２は発光信号に基づき点滅するためである。
【００３１】
すなわち、情報処理装置１の出力部１２から管理情報を直接外部に送信可能であるため必ずしも管理装置を介する必要がない。
【００３２】
（第２の実施の形態）
次に、本発明の第２の実施の形態について説明する。
【００３３】
図４は、本発明の第２の実施の形態における、機能構成を示すブロック図である。
【００３４】
図４を参照すると、情報管理システム１０００は、情報処理装置１、管理端末２を備えている。
【００３５】
情報処理装置１は、ＢＭＣ１１、出力部１２、入力部１３、通知部１４、センサ１５を備える。情報処理装置１は、例えばＢＭＣを搭載したサーバ装置である。
【００３６】
ＢＭＣ１１は、出力制御部１１１と、記憶部１１２を備える。ＢＭＣ１１は、図示しないＣＰＵを備えるため、情報処理装置１のＯＳ（Ｏｐｅｒａｔｉｏｎｇ Ｓｙｓｔｅｍ）とは独立して動作する。
【００３７】
出力制御部１１１は、入力部１３の入力パターンに応じて、情報処理装置１の識別情報１６１又は障害情報１６２を管理情報として選択する。
【００３８】
また、出力制御部１１１は、管理情報を点滅パターンからなる可視光通信用の発光信号に変換する。すなわち、出力制御部１１１は、管理情報を電気信号である発光信号に変調する。
【００３９】
可視光通信とは、目に見える可視光の波長３８０ｎｍから７８０ｎｍの可視光を使用した通信方法である。可視光通信は、送信したいデータを所定の周波数で変調した可視光用信号を用いて、光の強さを振動させて情報を伝達する。また、可視光通信における周波数は、人間の目では点滅として見えないように、周波数を数十ＫＨｚから数ＭＨｚに設定される。
【００４０】
通常ＬＥＤは、点灯と消灯という２つの情報しか送信することができないが、可視光通信は、可視光を所定の周波数で変調した点滅パターンを用いて情報を送信しているため、より多くの情報を送信することができる。
【００４１】
出力制御部１１１は、定期的にＩ２Ｃ（Ｉｎｔｅｒ-Ｉｎｔｅｇｒａｔｅｄ Ｃｉｒｃｕｉｔ）バスなどのセンサ監視用バスを介して得られるセンサ１５からの情報を用いて情報処理装置１の状態を監視する。そして、出力制御部１１１は、情報処理装置１に障害が発生したと検出した場合、通知部１４を点灯させるための信号を出力する。そして、出力制御部１１１は検出した障害情報を記憶部１１２に格納する。
【００４２】
記憶部１１２は、管理情報を格納する。管理情報とは、情報処理装置１の識別情報１６１（図５参照）と障害情報１６２（図６参照）である。識別情報１６１と障害情報１６２の詳細は後述する。
【００４３】
出力部１２は、出力制御部１１１から発光信号を取得し、発光信号に基づき点滅する。すなわち、出力部１２は発光信号を点滅パターンに変換し、点滅パターンによって情報を送信する。出力部１２は例えば情報処理装置１の前面又は背面に備えられているＬＥＤである。
【００４４】
入力部１３は、ユーザからの入力を受け付ける。入力部１３は、例えば、情報処理装置１に備えられているスイッチや、タッチパネルである。
【００４５】
通知部１４は、出力制御部１１１が情報処理装置１に障害が発生したことを検出した場合、障害が発生した旨を通知する。通知部１４は例えば、情報処理装置１に備えられているステータスを通知するためのＬＥＤである。通知部１４は、ＬＥＤを点灯させることにより障害が発生した旨を通知する。
【００４６】
センサ１５は、Ｉ２Ｃバスなどの監視用バスを介して情報処理装置１の状態を監視している。例えば、センサ１５は、情報処理装置１のログを収集することにより、情報処理装置１の状態を監視する。
【００４７】
管理端末２は、受光部２１と、制御部２２と、格納部２３と、表示部２４を備える。管理端末２は、例えば保守員が情報処理装置１を保守する際に用いる端末である。
【００４８】
受光部２１は、受光素子を備え、出力部１２から発光信号に基づく点滅パターンを受光する。そして、受光部２１は、受光した点滅パターンを発光信号に変換する。
【００４９】
受光素子とは、例えばカメラのイメージセンサやフォトダイオードであり、光の明暗を電気信号に変換する電子素子の総称である。カメラのイメージセンサは、一般的に撮像素子と呼ばれる。
【００５０】
制御部２２は、発光信号を管理情報に変換する。すなわち、制御部２２は、発光信号を管理情報に復調する。また、発光信号が管理情報であるか否か判別し、発光信号が管理情報である場合、格納部２３から受光部２１が受光した管理情報に対応する情報処理装置１に関する関連情報を取得し、表示部２４に送信する。
【００５１】
格納部２３は、情報処理装置１に関する関連情報を格納している。情報処理装置１に関する関連情報とは、例えば情報処理装置１の設定情報２６１（図７参照）と情報処理装置１の障害関連情報２６２（図８参照）である。設定情報２６１と障害関連情報２６２の詳細に関しては後述する。
【００５２】
表示部２４は、制御部２２から受光部２１が受光した管理情報に対応する情報を取得し表示する。
【００５３】
図５は、本発明の第２の実施の形態における、識別情報１６１の一例を示す図である。
【００５４】
識別情報１６１は、情報処理装置１を識別するための情報であり。例えば、情報処理装置１の型番１６１１やシリアル番号１６１２、情報処理装置１の筐体情報１６１３である。
【００５５】
図５における情報処理装置１は、ラック型のサーバであり、型番１６１１が「ＰＣ-Ａ１２１１１０１５０１２」、シリアル番号１６１２が「Ａ１１０５２３５４１」であることを示している。
【００５６】
図５に示す識別情報１６１は一例にすぎず、上記以外にも、基板の情報や、製品モデル名など、情報処理装置１を識別可能な情報であればよい。
【００５７】
図６は、本発明の第２の実施の形態における、障害情報１６２の一例を示す図である。
【００５８】
障害情報１６２は、情報処理装置１の障害発生に関する情報である。障害情報１６２は、例えば、障害の発生時間を示す発生時間１６２１、障害の分類を示す障害ＩＤ１６２２である。
【００５９】
図６における障害情報１６２は、２０１５年５月２４日１５時３３分に障害ＩＤ１６２２が「００１Ａ」の障害が発生し、２０１５年５月２８日１１時２０分に障害ＩＤ１６２２が「００２Ｂ」の障害が発生したことを示している。
【００６０】
図６に示す障害情報１６２は一例にすぎず、ＢＭＣ１１が記録しているハードウェアログやセンサのダンプ情報を障害情報１６２として用いてもよい。
【００６１】
図７は、本発明の第２の実施の形態における、設定情報２６１の一例を示す図である。
【００６２】
設定情報２６１は、情報処理装置１の設定に関する情報である。設定情報２６１は、例えば、シリアル番号２６１１とそれに対応するパケットを送受信する機器を判別するための番号であるＩＰ（Ｉｎｔｅｒｎｅｔ Ｐｒｏｔｏｃｏｌ）アドレス２６１２や、障害が発生した場合、情報処理装置１を管理する管理装置にアラートを通知するか否かを設定したＡｌｅｒｔ設定２６１３である。
【００６３】
図７における設定情報２６１は、シリアル番号２６１１が「Ａ１１０５２３５４１」である情報処理装置１におけるＩＰアドレス２６１２は、「２１０．１４１．３５．２５」であり、Ａｌｅｒｔ設定２６１３は「あり」となっている。
【００６４】
図８は、本発明の第２の実施の形態における、障害関連情報２６２の一例を示す図である。
【００６５】
障害関連情報２６２は、障害情報１６２に関連する情報であり、例えば、障害ＩＤ２６２１に対応する障害の内容を示す障害内容２６２２や交換部品２６２３である。
【００６６】
図８に示す障害関連情報２６２は、障害ＩＤ２６２１が「００１Ａ」の場合、電源障害であり、対応する交換部品は部品Ａであることを示している。
【００６７】
図９は、本発明の第２の実施の形態における、情報処理装置１及び端末装置２のハードウェア構成の一例を示す図である。
【００６８】
情報処理装置１のハードウェア構成は、第１の実施の形態と同様に構成すればよいため、説明は省略する。
【００６９】
管理端末２のハードウェア構成は、ＢＭＣ６６を備えない点と、入出力インターフェース６３が受光素子を備えた入力モジュールと接続される点が異なるが、その他に関しては第１の実施の形態の情報処理装置１と同様に構成することができるため、説明は省略する。
【００７０】
図１０は、本発明の第２の実施の形態における、障害発生時の動作を示すフローチャートである。
【００７１】
出力制御部１１１は、センサ１５から情報処理装置１に障害が発生したか否か判定する（ステップＳ２００１）。出力制御部１１１がセンサ１５から情報処理装置１に障害が発生したか否かを判定する条件は、例えばセンサ１５から読み出したログの情報に障害や警告を示す文字列が含まれている場合、障害が発生したと判定する。
【００７２】
出力制御部１１１は、センサ１５から情報処理装置１に障害が発生したことを検出しない場合（ステップＳ２００１：ＮＯ）、終了する。
【００７３】
出力制御部１１１は、センサ１５から情報処理装置１に障害が発生したことを検出した場合（ステップＳ２００１：ＹＥＳ）、センサ１５から障害情報１６２を取得する（ステップＳ２００２）。
【００７４】
出力制御部１１１は、センサ１５から取得した障害情報１６２を記憶部１１２に格納する（ステップＳ２００３）。例えば、図６に示すような障害の発生時間１６２１と障害の分類を示す障害ＩＤ１６２２である。
【００７５】
通知部１４は、障害が発生した旨を通知する。例えば、情報処理装置１に備えられたステータスを示すＬＥＤを点灯させる。これによって、障害が発生している旨を保守員に通知することができる。
【００７６】
以上により、第２の実施の形態における、障害発生時の動作が完了する。
【００７７】
図１１は、本発明の第２の実施の形態における、管理情報送信時の動作を示すフローチャートである。
【００７８】
出力制御部１１１は、１秒間に入力部１３に入力される入力回数を検出する（ステップＳ３００１）。すなわち、出力制御部１１１は、入力部１３に入力される入力パターンを検出する。例えば、入力部１３は情報処理装置１に備えられたスイッチであり、スイッチの押下回数を検出する。
【００７９】
なお、本実施例においては、１秒間に入力される入力回数が入力パターンであるが、検出する時間はユーザが任意に設定可能である。
【００８０】
出力制御部１１１は、入力部１３からの入力回数を１回の場合（ステップＳ３００２：１回検出）、出力制御部２２は出力部１２を点灯もしくは消灯する（ステップＳ３００３）。そして、終了する。
【００８１】
出力部１２を点灯するか消灯するかは、例えば、現在点灯している場合、消灯し、現在消灯している場合、点灯する。
【００８２】
出力制御部１１１は、入力部１３からの入力回数が２回の場合（ステップＳ３００２：２回検出）、出力制御部１１１は、記憶部１１２から識別情報１６１を取得する（ステップＳ３００４）。
【００８３】
出力制御部１１１は、取得した識別情報１６１を点滅パターンからなる発光信号に変換する（ステップＳ３００６）。例えば、出力制御部１１１は、識別情報１６１のシリアル番号１６１２を発光信号に変換する。
【００８４】
そして、出力部１２は、出力制御部１１１から発光信号を取得し、発光信号に基づき点滅する（ステップＳ３００７）。
【００８５】
出力制御部１１１は、入力部１３からの入力回数が３回の場合（ステップＳ３００３：３回検出）、出力制御部１１１は、記憶部１１２から障害情報１６２を取得する（ステップＳ３００５）。
【００８６】
出力制御部１１１は、取得した障害情報１６２を点滅パターンからなる発光信号に変換する（ステップＳ３００６）。例えば、出力制御部１１１は、障害情報１６２の障害ＩＤ１６２２を発光信号に変換する。
【００８７】
そして、出力部１２は、出力制御部１１１から発光信号を取得し、発光信号に基づき点滅する（ステップＳ３００７）。
【００８８】
出力制御部１１１は、入力部１３からの入力回数を検出しない場合（ステップＳ３００２：未検出）、出力部１２の状態を変更せず終了する。
【００８９】
以上により、第２の実施の形態における、管理情報送信時の動作が完了する。
【００９０】
すなわち、第２の実施の形態における、管理情報送信時の動作は、入力部１３が入力を検出した場合、出力制御部１１１はセンサ１５が取得した情報を記憶部１１２から取得して、出力部１２は管理情報を変換した発光信号に基づき点滅する。
【００９１】
よって、情報処理装置１は、自装置の状況に変化に応じた、適切な管理情報を動的に送信することができる。
【００９２】
また、出力制御部１１１が、入力部１３に入力される入力パターンに応じて、情報処理装置１の識別情報又は情報処理装置１の障害情報１６２を管理情報として選択し、選択した管理情報を点滅パターンからなる発光信号に変換する。そして、出力部１２は発光信号に基づき点滅する。
【００９３】
本実施形態において、入力パターンとして入力回数を検出する例を示したが、これに限られず、ユーザからの指示に応じて管理情報を出力すれば足りるため、入力方法は任意に設定可能である。例えば、入力方法は、キーボードから所定のコマンドを実行する、タッチパネルから出力したい管理情報を選択することでも可能である。
【００９４】
また、本実施形態では管理情報が識別情報１６１と障害情報１６２の場合の例を示したが、これに限られず、識別情報１６１のみでもよいし、障害情報１６２のみでもよい。すなわち、管理情報は情報処理装置１に関する情報であればよい。
【００９５】
また、本実施形態では、入力を検出した場合点滅する例を示したが、点滅パターンによる信号の干渉に影響を受けない場合、障害が発生した時にユーザからの入力なしに出力部１２は、点滅パターンによる信号を出力してもよい。
【００９６】
さらに、本実施形態では、通知部１４は出力部１２と別に備えた構成を示しているが、出力部１２が通知部１４の機能を兼ねることも可能である。また、通知部１４を備えなくてもよい。
【００９７】
なお、出力部１２の点滅は、２４Ｈｚより早い点滅であることが好ましい。その理由は、２４Ｈｚよりも早い点滅で管理情報を送信した場合、人間の目では点滅ではなく、点灯状態として見えるためである。
【００９８】
図１２は、本発明の第２の実施の形態における、管理情報受光時の動作を示すフローチャートである。
【００９９】
管理端末２の受光部２１は、情報処理装置１の出力部１２から点滅パターンを受光する（ステップＳ４００１）。
【０１００】
受光部２１は、点滅パターンを発光信号に変換する（ステップＳ４００２）。受光部２１は、例えば管理端末２に備えられたカメラであり、出力部１２の点滅パターンをカメラで撮影することにより、点滅パターンを発光信号に変換する。そして、受光部２１は制御部２２へ受光した発光信号を送信する。
【０１０１】
制御部２２は、発光信号が管理情報であるか判別する（ステップＳ４００３）。制御部２２は、発光信号が管理情報でないと判別した場合（ステップＳ４００３：ＮＯ）、終了する。
【０１０２】
制御部２２が、発光信号が管理情報であるか否かを判別する方法は、例えば、受光信号の情報が設定情報２６１や障害関連情報２６２に含まれるか否かで判定することができる。
【０１０３】
制御部２２は、発光信号が管理情報であると判別した場合（ステップＳ４００３：ＹＥＳ）、制御部２２は、管理情報が識別情報１６１であるか否かを判別する（ステップＳ４００４）。
【０１０４】
制御部２２が、管理情報が識別情報１６１であるか否かを判別する方法は、例えば、受光信号の情報が設定情報２６１に含まれるか否かで判定することができる。
【０１０５】
制御部２２は、管理情報が識別情報１６１であると判別した場合（ステップＳ４００４：ＹＥＳ）、制御部２２は、格納部２３から情報処理装置１に関する関連情報である設定情報２６１を取得する（ステップＳ４００５）。そしてステップＳ４００７にすすむ。
【０１０６】
制御部２２は、管理情報が識別情報１６１でないと判別した場合（ステップＳ４００４： ＮＯ）、制御部２２は、格納部２３から情報処理装置１に関する関連情報である障害関連情報２６２を取得する（ステップＳ４００６）。そしてステップＳ４００７にすすむ。
【０１０７】
表示部２４は、受光した管理情報に対応する情報処理装置１に関する関連情報を制御部２２から取得し、表示する（ステップＳ４００７）。
【０１０８】
例えば、受光部２１が識別情報１６１のシリアル番号１６１２を管理情報として受光した場合、設定情報２６１のシリアル番号２６１１から同一の番号を検索する。そして、表示部２４は、該当した設定情報２６１を表示する。受光部２１が図５の識別情報１６１における、シリアル番号１６１２を受光した場合、「２１０．１４１．２３．５０」というＩＰアドレス２６１２の情報、Ａｌｅｒｔ設定２６１３は「なし」であるという情報が表示部２４に表示される。
【０１０９】
一方、受光部２１が障害情報１６２の障害ＩＤ１６２２を管理情報として受光した場合、障害関連情報２６２の障害ＩＤ２６２１から同一の番号を検索する。そして、表示部２４は、該当した障害関連情報２６２に表示する。受光部２１が図６の障害情報１６２における障害ＩＤ２６２１の「００１Ａ」を受光した場合、障害内容２６２２は「電源障害」であり、交換部品２６２３は「部品Ａ」であるという情報が表示部２４に表示される。
【０１１０】
以上により、本発明の第２の実施の形態における、管理情報受光時の動作が終了する。
【０１１１】
本実施形態では、受光部２１が受光した管理情報が識別情報１６１であるか、障害情報１６２であるか判別し、判別結果に基づき、設定情報２６１を取得するか障害関連情報２６２を取得するか決定している。しかしながら、必ずしも設定情報２６１と障害関連情報２６２が分かれている必要はなく、情報処理装置１から受光した管理情報に基づき、格納部２３の情報を取得することにより詳細な情報を提示可能であればよい。
【０１１２】
さらに、本実施形態では、受光した管理情報に対応する関連情報を取得しているが、必ずしも受光した管理情報に対応する関連情報を取得する必要はなく、管理情報を管理端末２に表示するだけでもよい。
【０１１３】
本発明の第２の実施形態は、必ずしも管理装置を介さずに情報処理装置１の情報を取得可能である。その理由は、情報処理装置１の出力部１２が点滅パターンによって管理情報を送信し、管理端末２の受光部２１が点滅パターンを受光するためである。
【０１１４】
すなわち、情報処理装置１の出力部１２から管理情報を直接外部に送信可能であるため必ずしも管理装置を介する必要がない。
【０１１５】
また、情報処理装置１の出力部１２は管理情報を点滅パターンによって送信できるため、ユーザは、出力部１２のＬＥＤから点灯もしくは消灯という２つの情報だけでなく、管理情報を取得することができる。
【０１１６】
すなわち、３種類以上の点滅パターンによって送信できるため、管理に必要な多くの情報を取得することができる。
【０１１７】
本発明の第２の実施の形態は、点滅パターンによる信号の干渉を防ぐことができる。その理由は、入力部１３が入力を検出した場合、出力部１２が点滅するためである。
【０１１８】
例えば、情報処理装置１がサーバ装置のような高密度にサーバラックに搭載される場合、サーバ装置同士が近い場所に配置されているため、ＬＥＤの点滅パターンが干渉してしまう問題がある。しかし、本発明の第２の実施の形態は、保守員などのユーザの入力を契機にＬＥＤが点滅するため、点滅パターンが干渉することなく、ユーザが必要な情報を入手することができる。
【０１１９】
本発明の第２の実施の形態は、情報処理装置１から送信する情報を選択することができる。その理由は、入力部１３に入力するパターンに応じて、管理情報を選択するためである。
【０１２０】
例えば、入力部１３が情報処理装置１に備えられているスイッチである場合、ユーザが情報処理装置１のスイッチへの入力を行うことで、ユーザが必要な情報を取得することができる。
【０１２１】
本発明の第２の実施の形態は、情報処理装置１の障害が発生した旨を通知することができる。その理由は、出力制御部１１１が情報処理装置１に障害が発生したことを検出した場合、通知部１４は障害が発生した旨を通知するためである。
【０１２２】
本発明の第２の実施の形態は、管理端末２が詳細な情報を取得することができる。その理由は、管理端末２が受光した発光信号が管理情報である場合、格納部２３から管理情報に対応する情報処理装置１に関する関連情報を取得するためである。
【０１２３】
このように構成することで、情報処理装置１の出力部１２は必要最低限の情報を送信するだけで、管理端末２を使用するユーザは詳細な情報を入手することができる。
【０１２４】
以上、実施形態を参照して本願発明を説明したが、本願発明は上記実施形態に限定され
るものではない。本願発明の構成や詳細には、本願発明のスコープ内で当業者が理解し得
る様々な変更をすることができる。
【符号の説明】
【０１２５】
１０００    情報管理システム
１    情報処理装置
１１    ＢＭＣ
１１１    出力制御部
１１２    記憶部
１２    出力部
１３    入力部
１４    通知部
１５    センサ
１６１    識別情報
１６１１    型番
１６１２    シリアル番号
１６１３    筐体情報
１６２    障害情報
１６２１    発生時間
１６２２    障害ＩＤ
２    管理端末
２１    受光部
２２    制御部
２３    格納部
２４    表示部
２６１    設定情報
２６１１    シリアル番号
２６１２    ＩＰアドレス
２６１３    Ａｌｅｒｔ設定
２６２    障害関連情報
２６２１    障害ＩＤ
２６２２    障害内容
２６２３    交換部品
６１    ＣＰＵ
６２    通信インターフェース
６３    入出力インターフェース
６４    メモリ
６５    補助記憶装置
６６    ＢＭＣ
６７  バス
【図１】
2017033486.tif 000003
【図２】
2017033486.tif 000004
【図３】
2017033486.tif 000005
【図４】
2017033486.tif 000006
【図５】
2017033486.tif 000007
【図６】
2017033486.tif 000008
【図７】
2017033486.tif 000009
【図８】
2017033486.tif 000010
【図９】
2017033486.tif 000011
【図１０】
2017033486.tif 000012
【図１１】
2017033486.tif 000013
【図１２】
2017033486.tif 000014